【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
方法であって、
リレー・ノードによって、基地局とのバックホール・リンクを維持することであって、ここで、前記リレー・ノードは、前記基地局とモバイル・デバイス間にあるリレーであり、前記基地局は、前記モバイル・デバイスにネットワーク・アクセスを提供する、ことと、
前記リレー・ノードによって、前記バックホール・リンクを介して前記基地局から情報が受信される少なくとも１つのバックホール・リンク・リソースを決定することと、
前記リレー・ノードによって、情報が前記モバイル・デバイスから前記基地局へ送信される少なくとも１つのアップリンク・リソースを決定することと、
アクセス・リンクを介して前記モバイル・デバイスと通信するために、少なくとも１つのアクセス・リンク・リソースを、前記リレー・ノードによって選択することであって、ここで、前記少なくとも１つのアクセス・リンク・リソースは、前記少なくとも１つのバックホール・リンク・リソースと前記少なくとも１つのアップリンク・リソースとは異なる、ことと、
前記選択された少なくとも１つのアクセス・リンク・リソースに少なくとも部分的に基づいて、前記モバイル・デバイスへリソース割当メッセージを送信することと
を備える方法。
【請求項２】
前記選択された少なくとも１つのアクセス・リンク・リソースを使用して、前記アクセス・リンクを介して、前記モバイル・デバイスと通信することをさらに備える請求項１に記載の方法。
【請求項３】
無線リレー・ノードであって、
基地局とのバックホール・リンクを維持し、ここで前記無線リレー・ノードは、前記基地局とモバイル・デバイス間にあるリレーであり、前記基地局は、前記モバイル・デバイスへネットワーク・アクセスを提供する、
前記バックホール・リンクがアクティブである少なくとも１つのバックホール・リンク・リソースを決定し、
情報が、前記モバイル・デバイスから前記基地局へ送信される少なくとも１つのアップリンク・リソースを決定し、
アクセス・リンクを介して前記モバイル・デバイスと通信するための、少なくとも１つのアクセス・リンク・リソースを選択し、ここで、前記少なくとも１つのアクセス・リンク・リソースは、前記少なくとも１つのバックホール・リンク・リソースと前記少なくとも１つのアップリンク・リソースと異なる、
前記選択された少なくとも１つのアクセス・リンク・リソースに少なくとも部分的に基づいて、前記モバイル・デバイスへリソース割当メッセージを送信する
ように構成された少なくとも１つのプロセッサと、
前記少なくとも１つのプロセッサに接続されたメモリと
を備える無線リレー・ノード。
【請求項４】
前記少なくとも１つのプロセッサはさらに、前記基地局から受信されたリソース割当を分析することによって、少なくとも１つのバックホール・リンク・リソースを決定するように構成された請求項３に記載の無線リレー・ノード。
【請求項５】
前記少なくとも１つのプロセッサはさらに、前記アクセス・リンクを介して前記モバイル・デバイスと通信するように構成された請求項３に記載の無線リレー・ノード。
【請求項６】
無線リレー・ノードであって、
バックホール・リンクを介して基地局と通信する手段であって、ここで、前記無線リレー・ノードは、前記基地局とモバイル・デバイス間のリレーであり、前記基地局は、前記モバイル・デバイスへネットワーク・アクセスを提供する、手段と、
前記バックホール・リンクがアクティブである少なくとも１つのバックホール・リンク・リソースを決定する手段と、
情報が、前記モバイル・デバイスから前記基地局へ直接送信される少なくとも１つのアップリンク・リソースを決定する手段と、
アクセス・リンクを介して前記モバイル・デバイスと通信するための、少なくとも１つのアクセス・リンク・リソースを選択する手段であって、ここで、前記少なくとも１つのアクセス・リンク・リソースは、前記少なくとも１つのバックホール・リンク・リソースと前記少なくとも１つのアップリンク・リソースと異なる、手段と、
前記選択された少なくとも１つのアクセス・リンク・リソースに少なくとも部分的に基づいて、前記モバイル・デバイスへリソース割当メッセージを送信する手段と
を備える無線リレー・ノード。
【請求項７】
前記少なくとも１つのバックホール・リンク・リソースを決定する手段は、前記少なくとも１つのバックホール・リンク・リソースを決定するために、受信したリソース割当を分析する手段を備える請求項６に記載の無線リレー・ノード。
【請求項８】
前記少なくとも１つのアクセス・リンク・リソースを用いて、前記アクセス・リンクを介して、前記モバイル・デバイスと通信する手段をさらに備える請求項６に記載の無線リレー・ノード。
【請求項９】
コンピュータ読取可能な記録媒体であって、
リレー・ノードに対して、基地局とのバックホール・リンクを維持させるためのコードであって、ここで、前記リレー・ノードは、前記基地局とモバイル・デバイス間にあるリレーであり、前記基地局は、前記モバイル・デバイスへネットワーク・アクセスを提供する、コードと、
前記リレー・ノードに対して、前記バックホール・リンクがアクティブである少なくとも１つのバックホール・リンク・リソースを決定させるためのコードと、
前記リレー・ノードに対して、情報が、前記モバイル・デバイスから前記基地局へ送信される少なくとも１つのアップリンク・リソースを決定させるためのコードと、
前記リレー・ノードに対して、アクセス・リンクを介して前記モバイル・デバイスと通信するための少なくとも１つのアクセス・リンク・リソースを選択させるためのコードであって、ここで、前記少なくとも１つのアクセス・リンク・リソースは、前記少なくとも１つのバックホール・リンク・リソースと前記少なくとも１つのアップリンク・リソースと異なる、コードと、
前記選択された少なくとも１つのアクセス・リンク・リソースに少なくとも部分的に基づいて、前記モバイル・デバイスへリソース割当メッセージを送信するためのコードと
を備えるコンピュータ読取可能な記録媒体。
【請求項１０】
前記リレー・ノードに対して、前記少なくとも１つのアクセス・リンク・リソースを使用して、前記アクセス・リンクを介して、前記モバイル・デバイスと通信させるためのコードをさらに備える請求項９に記載のコンピュータ読取可能な記録媒体。
【請求項１１】
リレー・ノードであって、
基地局とのバックホール・リンクを維持するように構成されたバックホール・リンク構成要素であって、ここで、前記リレー・ノードは、前記基地局とモバイル・デバイス間のリレーであって、前記基地局は、前記モバイル・デバイスにネットワーク・アクセスを提供する、バックホール・リンク構成要素と、
前記バックホール・リンクがアクティブである少なくとも１つのバックホール・リンク・リソースを決定し、
情報が、前記モバイル・デバイスから前記基地局へ送信される少なくとも１つのアップリンク・リソースを決定する
ように構成された割当評価構成要素と、
アクセス・リンクを介して前記モバイル・デバイスと通信するための、少なくとも１つのアクセス・リンク・リソースを選択し、ここで、前記少なくとも１つのアクセス・リンク・リソースは、前記少なくとも１つのバックホール・リンク・リソースと前記少なくとも１つのアップリンク・リソースと異なる、
前記選択された少なくとも１つのアクセス・リンク・リソースに少なくとも部分的に基づいて、前記モバイル・デバイスへリソース割当メッセージを送信する
ように構成されたリンク・スケジューリング構成要素と
を備えるリレー・ノード。
【請求項１２】
前記割当評価構成要素はさらに、前記少なくとも１つのバックホール・リンク・リソースを決定するために、受信したリソース割当を分析するように構成された請求項１１に記載のリレー・ノード。
【請求項１３】
前記少なくとも１つのアクセス・リンク・リソースを用いて、前記アクセス・リンクを介して前記モバイル・デバイスと通信するように構成されたアクセス・リンク構成要素をさらに備える請求項１１に記載のリレー・ノード。
【請求項１４】
リレー・ノードであって、
割当プロトコルにしたがって、バックホール・リンク割当を受信するための時間スロットを決定し、前記時間スロット中に、アクセス・ポイントから前記バックホール・リンク割当を受信するように構成されたバックホール・リンク構成要素であって、ここで、前記割当プロトコルは、前記リレー・ノードがユーザ機器にアクセス・リンク・リソースを割り当てる時間と、前記リレー・ノードが前記アクセス・リンクのリソース割当を介してアクセス・リンク上で前記ユーザ機器と通信する時間との間のアクセス・リンク・レイテンシを規定する、バックホール・リンク構成要素と、
前記アクセス・リンク・レイテンシおよび前記バックホール・リンク割当にしたがって、前記アクセス・リンクのリソース割当を１または複数のモバイル・デバイスへ送信するように構成されたアクセス・リンク構成要素と
を備えるリレー・ノード。
【請求項１５】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満である請求項１４に記載のリレー・ノード。
【請求項１６】
前記アクセス・リンクのリソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項１５に記載のリレー・ノード。
【請求項１７】
前記割当プロトコルはさらに、前記バックホール・リンク割当とバックホール・リンク通信との間の可変のバックホール・リンク・レイテンシを規定し、
前記バックホール・リンク割当は、少なくとも１つの時間スロットと、期間にわたる前記少なくとも１つの時間スロットの周期性とに関する情報を含む請求項１４に記載のリレー・ノード。
【請求項１８】
前記バックホール・リンク割当を受信することは、前記バックホール・リンク割当を、上部レイヤ・メッセージで受信することを含む請求項１７に記載のリレー・ノード。
【請求項１９】
前記上部レイヤ・メッセージは、持続的な割当である請求項１８に記載のリレー・ノード。